(57)【特許請求の範囲】
【請求項１】
処理布帛を略真直状態で移送させる移送管と、蛇行状態で移送させる滞留部とによりなる環状の処理布帛移送通路を形成し、該通路内に無端状の処理布帛を架設し、該処理布帛を、液流の噴射力により循環回動させて処理する液流式繊維製品処理装置において、
前記滞留部の出口部から処理布帛を斜め上方に引き上げる傾斜部を形成し、該傾斜部の下流には処理布帛を下方に引き下げる下降部を形成し、前記傾斜部の途中に液流噴射部を設け、
前記傾斜部と下降部との間に、前記処理布帛を、外部から前記処理布帛移送通路内に投入するための出入口部を設け、該出入口部には、外側が開口し、流れ方向に向かうほど内側に湾曲する内周面を有する湾曲部材を設け、
前記出入口部における外部との開口を閉塞するとともに、内側が開口し、流れ方向に向かうほど内側に湾曲する内周面を有する蓋を取り外し可能に設け、
前記液流噴射部からの液流により前記傾斜部を処理布帛が引き上げられている際に、傾斜部における処理布帛に前記滞留部方向へのテンションが加わった場合、処理布帛と前記湾曲部材の内周面とが面接触するようにしたことを特徴とする液流式繊維製品処理装置。
【請求項２】
前記湾曲部材を設けた前記処理布帛移送通路と前記傾斜部との接続部、及び、前記湾曲部材を設けた前記処理布帛移送通路と前記下降部との接続部において、流れ方向に対し凸がないように形成したことを特徴とする請求項１記載の液流式繊維製品処理装置。
【請求項３】
前記湾曲部材を設けた前記処理布帛移送通路における流れ方向と直交する断面積が、傾斜部の前記処理布帛移送通路における流れ方向と直交する断面積より大きく、
下降部の前記処理布帛移送通路における流れ方向と直交する断面積が、前記湾曲部材を設けた前記処理布帛移送通路における流れ方向と直交する断面積より大きいことを特徴とする請求項２記載の液流式繊維製品処理装置。
【請求項４】
前記湾曲部材と蓋の夫々の内周面で、前記傾斜部と下降部との間の前記処理布帛移送通路を湾曲して形成したことを特徴とする請求項１又は２又は３記載の液流式繊維製品処理装置。
【請求項５】
前記湾曲部材の内周面は、その縦断面及び横断面が円弧状に形成され、
前記蓋の内周面は、その縦断面及び横断面が円弧状に形成されていることを特徴とする請求項１乃至４の何れか１項に記載の液流式繊維製品処理装置。
【請求項６】
前記湾曲部材を取り外し可能に設けたことを特徴とする請求項１乃至５の何れか１項に記載の液流式繊維製品処理装置。
【発明の詳細な説明】
【技術分野】
【０００１】
本発明は、液流式繊維製品処理装置に関する。
【背景技術】
【０００２】
処理布帛を略真直状態で移送させる移送管と、蛇行状態で移送させる滞留部とによりなる環状の処理布帛移送通路を形成し、該通路内に処理布帛を無端状にして架設し、処理布帛を循環回動させながら処理するバッチ式の繊維製品処理装置において、処理布帛を循環回動させる方法として、処理液の噴射力と、リール等の牽引手段の機械的回転力とを併用して行っていた。
【０００３】
しかし、このような牽引手段を用いると、その牽引手段と処理布帛との接触面において処理布帛が擦られてスレやシワの原因となっていた。
【０００４】
そのため、リール等の牽引手段を設けず、処理液の噴射力のみにより、処理布帛を循環回動させる液流式繊維製品処理装置が提案されている（例えば、特許文献１参照）。
【先行技術文献】
【特許文献】
【０００５】
【特許文献１】特許第２９５９６１３号
【発明の概要】
【発明が解決しようとする課題】
【０００６】
前記牽引手段を用いない液流式繊維製品処理装置としては、例えば図４に示すように、前記滞留部の出口部から処理布帛を斜め上方に引き上げる傾斜部１０２を形成し、該傾斜部１０２の下流に処理布帛を下方に引き下げる下降部１０３を形成し、前記傾斜部１０２の途中に、処理液を噴射する液流噴射部１０４を設けた液流式繊維製品処理装置１０１がある。
【０００７】
そして、傾斜部１０２と下降部１０３との間に、前記処理布帛を、外部から処理布帛移送通路内に投入するための出入口部１０５が形成されており、図４に示すように、この出入口部１０５には、その開口部を閉塞し、従来、傾斜部１０２と下降部１０３とを連通するための蓋１０６が取り外し可能に設けられている。
【０００８】
この蓋１０６は、出入り口部１０５部における処理布帛移送通路の外周側と側周側のみに形成されているため、傾斜部１０２と下降部１０３との間の処理布帛移送通路には、図４に示すように、その内周側に、略直角の面からなる大きな段部１０７が形成されている。
この液流式繊維製品処理装置１０１を用いて、処理布帛を処理布帛移送通路内を循環回動させた場合、前記滞留部における処理布帛の滞留状態（折り畳まれ状態）が不均一であるのに対し、前記液流噴射部１０４から噴出される処理液の速度は均一であるため、処理布帛が傾斜部１０２から下降部１０３へと回動する際に、この処理布帛に滞留部方向へのテンションがかかり、前記段部１０７の両端１０８，１０９において処理布帛が曲折されるとともに、段部１０７と処理布帛との接触面積が小さいことから、繊維の極めて細いデリケートな布帛においては、布帛の品位を損なうことがあった。
【０００９】
そこで、本発明は、上記問題点を解決した液流式繊維製品処理装置を提供することを目的とするものである。
【課題を解決するための手段】
【００１０】
前記の課題を解決するために、請求項１記載の発明は、処理布帛を略真直状態で移送させる移送管と、蛇行状態で移送させる滞留部とによりなる環状の処理布帛移送通路を形成し、該通路内に無端状の処理布帛を架設し、該処理布帛を、液流の噴射力により循環回動させて処理する液流式繊維製品処理装置において、
前記滞留部の出口部から処理布帛を斜め上方に引き上げる傾斜部を形成し、該傾斜部の下流には処理布帛を下方に引き下げる下降部を形成し、前記傾斜部の途中に液流噴射部を設け、
前記傾斜部と下降部との間に、前記処理布帛を、外部から前記処理布帛移送通路内に投入するための出入口部を設け、該出入口部には、外側が開口し、流れ方向に向かうほど内側に湾曲する内周面を有する湾曲部材を設け、
前記出入口部における外部との開口を閉塞するとともに、内側が開口し、流れ方向に向かうほど内側に湾曲する内周面を有する蓋を取り外し可能に設け、
前記液流噴射部からの液流により前記傾斜部を処理布帛が引き上げられている際に、傾斜部における処理布帛に前記滞留部方向へのテンションが加わった場合、処理布帛と前記湾曲部材の内周面とが面接触するようにしたことを特徴とするものである。
【００１１】
請求項２記載の発明は、請求項１記載の発明において、前記湾曲部材を設けた前記処理布帛移送通路と前記傾斜部との接続部、及び、前記湾曲部材を設けた前記処理布帛移送通路と前記下降部との接続部において、流れ方向に対し凸がないように形成したことを特徴とする請求項１記載の液流式繊維製品処理装置。
請求項３記載の発明は、請求項２記載の発明において、前記湾曲部材を設けた前記処理布帛移送通路における流れ方向と直交する断面積が、傾斜部の前記処理布帛移送通路における流れ方向と直交する断面積より大きく、
下降部の前記処理布帛移送通路における流れ方向と直交する断面積が、前記湾曲部材を設けた前記処理布帛移送通路における流れ方向と直交する断面積より大きいことを特徴とするものである。
【００１２】
請求項４記載の発明は、請求項１又は２又は３記載の発明において、前記湾曲部材と蓋の夫々の内周面で、前記傾斜部と下降部との間の前記処理布帛移送通路を湾曲して形成したことを特徴とするものである。
【００１３】
請求項５記載の発明は、請求項１乃至４の何れか１項に記載の発明において、前記湾曲部材の内周面は、その縦断面及び横断面が円弧状に形成され、
前記蓋の内周面は、その縦断面及び横断面が円弧状に形成されていることを特徴とするものである。
【００１４】
請求項６記載の発明は、請求項１乃至５の何れか１項に記載の発明において、前記湾曲部材を取り外し可能に設けたことを特徴とするものである。
【発明の効果】
【００１５】
本発明によれば、液流噴射部からの液流により傾斜部を処理布帛が引き上げられている際に、傾斜部における処理布帛に滞留部方向へのテンションが加わった場合、処理布帛と前記湾曲部材の内周面とが面接触するようにしたことをことにより、傾斜部と下降部との間で処理布帛と処理布帛移送通路の内周面とが接触した場合においても、前記液流式繊維製品処理装置１０１と比較して、接触面積をかなり大きくすることができる為に、繊維の極めて細いデリケートな布帛においても、布帛の品位を損なうことを防止できる。
【図面の簡単な説明】
【００１６】
【図１】本発明の実施例に係る液流式繊維製品処理装置の概略図。
【図２】図１の部分拡大図。
【図３】図２における処理布帛移送通路のＡ−Ａ線端面図。
【図４】従来の液流式繊維製品処理装置の部分断面斜視図。
【発明を実施するための形態】
【００１７】
本発明を実施するための形態を図１乃至図３に示す実施例に基づいて説明する。
図１は、本発明の実施例に係る液流式繊維製品処理装置１の概略図を示す。
【００１８】
液流式繊維製品処理装置１は、図１に示すように、繊維（以下、処理布帛という）９を略真直状態で移送させる移送管２と、処理布帛９を蛇行状態で移送させる滞留部３とを有し、この移送管２と滞留部３とで環状の処理布帛移送通路５を形成している。該処理布帛移送通路５内には、図１に示すように、両端部を縫接して無端状に連結された処理布帛９が、移動可能に架設されている。
【００１９】
前記滞留部３は、図１に示すように、略水平に設置され、その内部には処理液Ｗが滞留する滞留槽６を有し、該滞留槽６の両端部に、処理布帛の入口部６ａと出口部６ｂが形成されている。滞留槽６の出口部６ｂは、その下面が、下流に向かって斜め上方に傾斜するように形成されている。
【００２０】
滞留槽６の出口部６ｂの下流には、図１に示すように、処理布帛９を、滞留槽６内に滞留する処理液Ｗの液面を越えて、前記出口部６ｂから斜め上方に引き上げる傾斜部７が接続され、該傾斜部７の下流には図、１，２に示すように、処理布帛９を下方に引き下げる下降部８が形成されている。この傾斜部７と下降部８は、移送管２の一部を構成し、内部に処理布帛移送通路５の一部を構成する通路７ａ，８ａが形成されている。そして、移送管２の下流部は、滞留槽６の入口部６ａに接続されている。
【００２１】
前記傾斜部７には、滞留槽６内から取り出した処理液を、通路７ａの下流側に向かって噴射する液流噴射部１０が設けられている。なお、少なくとも、移送管２の傾斜部７に液流噴射部１０が設けられていれば、移送管２における液流噴射部１０の数や、設置位置は、任意に設定する。
【００２２】
処理液は、ポンプＰの作動により、滞留槽６の底部に設けた多孔板よりなる整流部１２より取り出された後に、熱交換器１３に入り所要温度に加熱昇温され、流量調整弁１４により流量を調整されたうえで、液流噴射部１０より移送管２内に噴射される。この噴射された処理液Ｗの液流により、処理布帛９が処理布帛移送通路５内を移送される。
【００２３】
前記傾斜部７と下降部８との間には、図２に示すように、処理布帛９を液流式繊維製品処理装置１外から、処理布帛移送通路５である通路７ａ，８ａ内に投入したり、処理した後の処理布帛を取り出すための出入口部１５が設けられている。該出入口部１５には、図２に示すように、外部と連通することができる開口部１５ａが形成されている。
【００２４】
この出入口部１５における前記開口部１５ａとは反対側（内周側）には、図２に示すように、処理液の流れ方向に向かうほど内側に湾曲する内周面１７を有する湾曲部材１８が、取り外し可能に設けられている。前記内周面１７は、処理液の流れ方向に直交する断面（横断面）が、その外側に中心が位置する略円弧状で、また、処理液の流れ方向の断面（縦断面）が、その内側に中心が位置する略円弧状となるように形成するとともに、その外側が開口することが好ましい。前記湾曲部材１８の内周側における流れ方向と直行する方向の両側部には、図３に示すように、前記内周面１７から外側に突出する当接部１９が、一体に形成されている。
【００２５】
前記湾曲部材１８の内周面１７は、その傾斜部７（上流）側端が、前記傾斜部７の下流側端と略同位置になるように設定され、その下降部８（下流）側端が、前記下降部８の上流側端と略同位置になるように設定され、これら湾曲部材１８の両端と、傾斜部７及び下降部８との接続部は流れ方向に対し突出せず、また、この接続部における段差Ｄ１，Ｄ２が小さくなるように設定されている。
【００２６】
また、前記出入口部１５の開口部１５ａを閉塞する蓋２０が取り外し可能に設けられ、該蓋２０は、適宜手段により出入口１５内に固定することができるようになっている。該蓋２０には、図２に示すように、処理液の流れ方向に向かうほど内側に湾曲する、より好ましくは、縦断面及び横断面が、その内側に中心が位置する略円弧状で、内側方向に開口する内周面２１を有する。前記蓋２０の流れ方向と直交する方向の両端面は、図３に示すように、前記湾曲部材１８の当接部１９と当接するようになっている。なお、蓋２０の両端部に、前記内周面２１から外側に突出するフランジ状に形成してもよい。また、蓋２０の内周面２１としては、上記の形状が好ましいが、内周面に突部が形成されていなければ、任意の形状とすることができる。
【００２７】
前記蓋２０の内周面２１は、その傾斜部７（上流）側端が、前記傾斜部７の下流側端と略同位置になるように設定され、その下降部８（下流）側端が、前記下降部８の上流側端と略同位置になるように設定されている。
【００２８】
前記蓋２０の両端面と、前記湾曲部材１８の当接部１９とを、図３に示すように、もなか状に重ね合わすことにより、その内周面１７，２１により、傾斜部７と下降部８との間に処理布帛移送通路２５が形成される。前記蓋２０の両端面と、前記湾曲部材１８のフランジ１９との間に、パッキンを設けてもよいし、設けなくてもよい。
【００２９】
この処理布帛移送通路２５は、図１，２に示すように、その内側に中心を有するように処理液の流れ方向に向かって湾曲し、傾斜部７と下降部８の通路７ａ，８ａと連通するようになっている。また、処理布帛移送通路２５と、傾斜部７と下降部８の通路７ａ，８ａとの接続部において、流れ方向に対し凸がないように形成するとともに、その段差Ｄ１，Ｄ２が前記液流式繊維製品処理装置１０１と比較して極めて小さくなるように設定されている。
【００３０】
また、処理布帛移送通路２５の流れ方向と直交する断面積は、傾斜部７における通路７ａの流れ方向と直交する断面積より大きく、下降部８における通路８ａの流れ方向と直交する断面積は、処理布帛移送通路２５の流れ方向と直交する断面積より大きくなるように設定されている。更に、傾斜部７の通路７ａと、下降部８の通路８ａと、処理布帛移送通路２５の流れ方向と直交する断面積を略同じに設定し、傾斜部７の通路７ａと、処理布帛移送通路２５と、下降部８の通路８ａにおいて断面積の変化を無くすことが好ましい。
【００３１】
前記蓋２０を取り外した状態で、処理布帛９を、液流式繊維製品処理装置１外から、出入口部１５より処理布帛移送通路５内に投入した後に、処理布帛９を無端状となるように、その両端部を縫接し、蓋２０を取付けることで、環状の処理布帛移送通路５が形成される。
【００３２】
以上のように、湾曲部材１８を設けたことにより、処理布帛９が、傾斜部７の通路７ａ内を、液流噴射部１０より噴射される液流により引き上げられている際に、この処理布帛９に滞留部３方向にテンションが係り、処理布帛９が、処理布帛移送通路２５の内周側を移動した場合にも、処理布帛９と湾曲部材１８の内周面１７とが流れ方向の略全体に亘って面接触するため、前記液流式繊維製品処理装置１０１と比較して、その接触面積はかなり大きくなり、繊維の極めて細いデリケートな処理布帛においても、処理布帛の品位を損なうことを防止できる。
【００３３】
なお、湾曲部材１８の内周面１７は、処理液の流れ方向に向かうほど内側に湾曲するように形成したが、この内周面１７の形状は、処理布帛９が、液流噴射部１０から噴出される液流により傾斜部７の通路７ａ内を上方へと引き上げられている際に、この処理布帛９に滞留部３方向へのテンションが加わった場合、処理布帛９と湾曲部材１８の内周面１７とが流れ方向全体亘って面接触する形状であれば任意に設定することができる。
【００３４】
この湾曲部材１８の内周面１７としては、例えば、上述した湾曲した形状や、処理液の流れ方向に直交する断面（横断面）及び処理液の流れ方向の断面（縦断面）が略円弧状の形状や、処理液の流れ方向の断面（縦断面）が、複数の直線と、この直線間を円弧で連結し、その両端は、直線又は円弧で形成された形状に構成することができる。
【００３５】
なお、前記湾曲部材１８は、取り外し可能に設けたが、出入口部１５内に固設するようにしても良い。
【符号の説明】
【００３６】
１  液流式繊維製品処理装置
９  処理布帛
２  移送管
３  滞留部
５  処理布帛移送通路
７  傾斜部
８  下降部
１０  液流噴射部
１５  出入口部
１８  湾曲部材
２０  蓋
【図１】
0005509257.tif 000002
【図２】
0005509257.tif 000003
【図３】
0005509257.tif 000004
【図４】
0005509257.tif 000005